(57)【要約】【課題】コンパクトなトイレットロール製品を提供する。【解決手段】  収納箱内に複数個のトイレットロールＲが収納されたトイレットロール製品Ｘ１であって、収納箱１の正面１１に、透明フィルム３１を介して内部が視認される内部視認用部２が形成されているトイレットロール製品により解決される。【選択図】図１
2010200825.tif 000002
【特許請求の範囲】
【請求項１】
収納箱内に複数個のトイレットロールが収納されたトイレットロール製品であって、
収納箱の正面に、透明フィルムを介して内部が視認される内部視認用部が形成されていることを特徴とするトイレットロール製品。
【請求項２】
トイレットロールが２〜３個収納されている請求項１記載のトイレットロール製品。
【請求項３】
トイレットロールは、周面が接するようにして上下に配置されて収納され、前記内部視認用窓はそれらトイレットロールが視認されるように配されている請求項１記載のトイレットロール製品。
【請求項４】
収納箱の側面に内部視認用窓が形成されている請求項１記載のトイレットロール製品。
【請求項５】
収納箱の天面又は背面の上端に収納箱全体を吊下げ可能にする吊下げ手段が設けられている請求項１記載のトイレットロール製品。
【請求項６】
収納箱の背面に開封口形成用のミシン目線が配されており、このミシン目線の裂開によりヒンジ蓋状の開封口及び封止片が形成される請求項１記載のトイレットロール製品。
【発明の詳細な説明】
【技術分野】
【０００１】
本発明は、トイレットロールを収納箱に収納したトイレットロール製品に関する。
【背景技術】
【０００２】
帯状の水解性衛生薄葉紙をロール状にしたトイレットロールはよく知られるところである。このトイレットロールは、消耗品であること、さらに常備されている必要性があることから、４〜１２ロール程度の個数をセットとして市販されている。
そして、トイレットロールは、嵩張る製品であるとともに上述のとおり比較的多くの個数がセットで販売されるため、購入後に新たな包装をせずにそのまま持ち帰りができるように、取っ手が設けられたフィルム包装形態で市販に供される。
また、トイレットロールは、４〜１２ロールと多くの個数がセット包装された販売されていることから商品陳列スペースの多い、ホームセンターやスーパーマーケットでの販売が主であった。
しかしながら、近年、いわゆるコンビニエンスストアが普及し、高齢者の増加や一人暮らしの若年層の生活スタイルの変化等とも相まって、かかるコンビニエンスストアにおいて日用品であるトイレットペーパーを購入したいという要望が高まってきている。
しかしながら、従来のトイレットロール製品においては、かかるコンビニエンストア等の小店舗における販売形態には適しておらず、種々の不都合が生ずる。
例えば、（１）コンビニエンスストアにおいては、スーパーマーケットやホームセンターと比較して商品陳列棚におけるスペースが狭く、従来の４〜１２ロールのような多数個がセットされた製品を陳列し難い。また（２）コンビニエンスストアにおいては、いわゆるレジ袋に入る程度の小さい品物が購入されることが多いが、従来製品は、このような小さい品物の購入とともに購入されることが考慮されていない。（３）さらに、特に、コンビニエンスストアを利用する機会が多いと思われる若い女性などにおいては、多量のトイレットペーパーを露出したまま持ち帰るのに抵抗を感じることがある。（４）その一方で、近年のトイレットロールにおいては種々の図案が印刷されたデザイン性のあるものが市販されており、このようなデザインについては容易に視認可能であることは求められる。（５）また、高齢者においては、嵩ばる多数ロールが包装を持ち帰るのに困難を生ずる場合がある。（６）また、世帯当たりの人数が少ない家庭では、従来製品のような多数ロールであると、多数個を消費するまでの期間が長く、開封後長期間保管しなければならないため衛生面において問題がある。（７）さらに、このような長期保存は、特に、ワンルームマンション等に多く見られるトイレ浴槽一体型のユニットバスなどで保管するにはスペースの点でも衛生面でも適さない。（８）また、従来フィルム包装の製品は、開封後に製品のいくつかを取り出したときにフィルムの余り部分がくしゃくしゃとして見栄えが悪い。
このように、このように従来の４〜１２ロールがフィルム包装されている製品形態は、コンビニエンスストアの普及や、種々の生活スタイルにおいて様々な問題点がある。
【先行技術文献】
【特許文献】
【０００３】
【特許文献１】特願２００７−６５８０１号公報
【特許文献２】特願２００５−３３１２３６号公報
【特許文献３】特開２０００−４０３４０８号公報
【特許文献４】特開平１１−２４１０５６号公報
【特許文献５】特開平５−２１８５１４号公報
【特許文献６】特願２００３−３７９６８５号公報
【特許文献７】実願平６−１３２８６号公報
【特許文献８】特願２００２−２７０２３２号公報
【発明の概要】
【発明が解決しようとする課題】
【０００４】
そこで、本発明の主たる課題は、上述の種々の問題点を解決し、特に狭いスペースで陳列することができるとともに、内包されたトイレットロールの形態、デザインが容易に外部から視認できつつも、購入後に持ち帰るにあたっては第三者がそれがトイレットロールであることが容易には認識することができず、また、コンパクトで持ち帰りしやすく、保管スペースも少なくてすむ、トイレットロール製品を提供することにある。
【課題を解決するための手段】
【０００５】
上記課題を解決した本発明及びその作用効果は次記のとおりである。
＜請求項１記載の発明＞
収納箱内に複数個のトイレットロールが収納されたトイレットロール製品であって、
収納箱の正面に、透明フィルムを介して内部が視認される内部視認用部が形成されていることを特徴とするトイレットロール製品。
【０００６】
（作用効果）
本発明においては、商品陳列状態においては、正面の内部視認用窓から収納されたトイレットロールの状態、意匠を視認することができる。
また、従来のフィルム包装では、トイレットロールの形状、積み重ね形状に沿った製品外観となるため、一見してトイレットロール製品であることが理解出来る外観であったが、本発明では収納箱の形状により外観が定まるため一見してそれがトイレットロールであることが理解しがたい製品となる。また、従来のフィルム包装と比較して、強度面において、また、収納箱内に収めることにより、トイレットロールの形状に依存しない載置形態をとることができるため（例えば、従来包装形態では常に端面が上下になるようにしか陳列し難かった。）商品陳列棚における設置スペースを減少させたり、種々の陳列形態をとることが可能となる。
また、収納箱に収められていることから、従来のフィルム包装と比較して開封後に外装フィルムの一部が余ってくしゃくしゃになり見栄えがわるくなるという欠点もない。
【０００７】
＜請求項２記載の発明＞
トイレットロールが２〜３個収納されている請求項１記載のトイレットロール製品。
【０００８】
（作用効果）
トイレットロールが２から３個であると、上述の請求項１記載の発明と相まって、極めてコンパクト性に優れるようになるとともに、従来技術において示した、コンビニエンスストアにおける利便性、コンビニエンスストアを利用する生活スタイルに特に適したものとなる。
【０００９】
＜請求項３記載の発明＞
トイレットロールは、周面が接するようにして上下に配置されて収納され、前記内部視認用窓はそれらトイレットロールが視認されるように配されている請求項１記載のトイレットロール製品。
【００１０】
（作用効果）
内部視認用窓から実際の設置形態と同様の状態が視認できるようになり、トイレットロールの外観品質、模様、図柄、エンボス等を実際の使用時の態様で確認することができるようになる。また、従来のフィルム包装された製品では、商品陳列に当って、商品安定性の点で端面が上下になるように陳列せざるを得なかったため、本発明のような周面隣接上下の配置は購入者にこれまでにない斬新な印象を与えることができる。
【００１１】
＜請求項４記載の発明＞
収納箱の側面に内部視認用窓が形成されている請求項１記載のトイレットロール製品。
【００１２】
（作用効果）
収納されたトイレットロールを種々の角度から視認できるようになる。特に請求項４記載の形態で収納されている場合には、トイレットロールの周面と端面の状態、意匠が視認できるようになる。
【００１３】
＜請求項５記載の発明＞
収納箱の天面又は背面の上端に収納箱全体を吊下げ可能にする吊下げ手段が設けられている請求項１記載のトイレットロール製品。
【００１４】
（作用効果）
本発明によれば、商品陳列に際して、吊下げ陳列することができるようになり、例えば、特にコンビニエンスストアのような陳列スペースが少ない小店舗に適した製品となる。
【００１５】
＜請求項６記載の発明＞
収納箱の背面に開封口形成用のミシン目線が配されており、このミシン目線の裂開によりヒンジ蓋状の開封口及び封止片が形成される請求項１記載のトイレットロール製品。
【００１６】
（作用効果）
収納箱を破壊せずにトイレットロールを取り出すことができるようになる。また、このように箱を破壊せずに取り出すことができることから、一部を使用して残りのトイレットロールを収納箱内に維持したまま保管するに適するようにもなる。
【発明の効果】
【００１７】
以上の本発明によれば、特に狭いスペースで陳列することができるとともに、内包されたトイレットロールであるかが容易に外部から視認できつつも、購入後に持ち帰るにあたっては第三者がそれがトイレットロールであることが容易には理解し難く、また、コンパクトで持ち帰りしやすく、保管スペースも少なくてすむ、トイレットロール製品が提供される。
【図面の簡単な説明】
【００１８】
【図１】本発明にかかるトイレットロール製品の正面側からの斜視図である。
【図２】本発明にかかるトイレットロール製品の背面側からの斜視図である。
【図３】本発明の他のトイレットロール製品の正面側からの斜視図である。
【発明を実施するための形態】
【００１９】
次いで、本発明の実施の形態を図１、２を参照しながら以下に詳述する。
本発明は、収納箱１の内部に複数個のトイレットロールＲが収納されたトイレットロール製品Ｘ１である。以下、具体的に説明する。
本発明にかかるトイレットロールＲが収納される収納箱１は、正面１１及び側面１２に収納されたトイレットロールＲを視認するための内部視認用窓２，２を構成するためのくり抜き孔２１，２２を有し、背面１３にトイレットロールＲの取り出し口形成用の裂開用ミシン目線４１を有する箱本体１０と、前記くり抜き孔２１，２２を箱本体内側から覆って内部視認用窓２とする透明フィルム３１，３２とを備えている。
【００２０】
箱本体２０は、収納箱Ｘ１の外郭をなすものであり、その大きさ、形状、展開形状等は適宜の構成を採用できる。
【００２１】
その形状としては、好適には、図示例のように、実質的に底面、正面、天面、背面、側面が矩形である直六面体形状が例示できる。なお、実質的にとは内部視認用窓部２を考慮せずに便宜的に一面としたことを意味する。ただし、収納箱１の形状は、この直六面体形状に限らず、円筒状、多角柱状等が挙げられる。もちろん、収納箱（箱本体）の形状は、このような単純な立体形状に限らず、例えば、図３に示すが如く、適宜デザイン性のある形状としてもよい。このようなデザイン性のある形状とすれば、購買意欲を喚起させる製品となるとともに、家庭での製品保管時のインテリアとの相性に優れるものとなり、さらに、コンビニエンスストア等の雑多な小店舗内において購入対象者が商品を発見しやすくなるという利点がある。
【００２２】
但し、商品陳列の点から少なくとも底面は平面であるのが望ましく、製品同士が積み重ねられる点で天面も平面であるのが望ましい。特に、好適な形状は、構造が比較的単純であり、製造も用意であるとともに、側面同士を隣接して並べても商品陳列スペースを取らず、コンパクト性に優れる直六面体形状である。
【００２３】
かかる、収納箱自体の展開形状等その構造としては、例えば、直六面体であれば、図示はしないが、正面１１、背面１３、及びこれらを連接する側面１２，１２と、側面１２，１２の両側縁に連接された側面端面片（図示せず）と正面１０及び背面１３の上下縁に連接された正面片、底面片（図示せず）を有し、前記側面端面片を箱内面側に折り返した後、これに重ねて正面片と底面片とを折り曲げ、各片の当接部分をホットメルト接着材等により接着して天面１４、底面１５が構成される構造が例示できる。なお、天面１４、底面１５の形成方法がこれに限定されない。収納箱の構造は既知の包体の構造が採用できる。収納箱１の大きさは、トイレットロールの大きさに応じて適宜設定する。
【００２４】
他方、箱本体１０の正面１１には、上述のとおり内部視認窓２を構成するための、くり抜き孔２１が形成されている。このくり抜き孔２１は、収納するトイレットペーパーの個数、大きさに応じて、適宜の大きさとすることができる。一例としては、正面１１の面積の１０〜７０％程度、かつ２５〜１８５ｃｍ2程度であれば、視認性に優れるとともに、強度の確保がしやすくなる。
【００２５】
なお、形状は、図示例の如く矩形であるのが強度を確保しやすく視認範囲も広いことから望ましいが、その他円形、星形など適宜の形状とすることができる。
【００２６】
他方、図示例の形態では、好ましい形態として、側面１２，１２においても内部視認用窓２を形成するためのくり抜き孔２２が形成されている。このくり抜き孔２２の形状、大きさも適宜定めることができる。なお、正面、側面におけるくり抜き孔の形状、大きさは必ずしも同一である必要はない。また。側面１２のくり抜き孔、両側面のうち一方のみに設けてもよいし、両側面で異なる形状、大きさであってもよい。
【００２７】
他方、箱本体１０の背面１５には、収納されたトイレットロールＲを取り出すための開封口を形成するための裂開用ミシン目線４１が形成されており、このミシン目線４１の裂開によりヒンジ蓋状の封止片４０及び開封口が形成されるようになっている。
【００２８】
より具体的には、図示の形態では、底面１５の縁に平行な直線上の折り筋４２とこの折り筋の両端から底面側に向かう二本の平行なミシン目線４１Ａ，４１Ａとこれらのミシン目線の両端を繋ぐミシン目線４１Ｂによる略コ字状の裂開用ミシン目線が配されている。この略コ字状のミシン目線の裂開よって、前記折り筋４２をヒンジとするヒンジ蓋状の封止片４０が形成されるとともに、箱本体１０に開封口が形成される。なお、裂開用ミシン目線は、図示例の略コ字状に限らず、例えば、似ベースボール型、アーチ型等とすることができる。ただし、ヒンジとなる折り筋４２は、必ずしも底面１５に平行である必要はない。また、裂開用ミシン目線４１の具体的な長さ、折り筋の具体的な長さ、位置は、収納するトイレットロールＲの大きさや個数に応じて適宜、設定する。但し、ヒンジとなる折り筋４２は図示例の如くミシン目線４１に対して天面１４側にある形態が望ましい。ヒンジ蓋状の封止片４０を形成したときに、封止片４０の底面１５側が自由側となり、開封後に保管したときに上方からの埃や塵の進入を効果的に防止できるものとなる。
【００２９】
他方、本発明においては、図示例の如く、底面に平行なミシン目線４１Ｂのほぼ中央部にミシン目線４１の裂開をよりいっそうし易くするための指入れ部４３が形成されている。
【００３０】
また、本発明の収納箱Ｘ１においては、製品の吊下げ陳列を可能すべく、陳列用フックに引っ掛けるための孔５１を有する短帯状の製品の吊下げ手段５０が設けられている。本形態の吊下げ手段は５０は、短帯状のフィルムシート或いは板紙に孔５１を設けるとともに、その一部を背面に対して貼付したりすることで形成することができる。また、背面の一部を底面側に向かってコ字状に切断し、これにより形成される片を天面側に折り返しても吊下げ手段を形成することができる。もとろん、帯状のフィルムシートやひもを天面、背面の上部に貼付等することで吊下げ手段としてもよい。
【００３１】
ここで、本発明の箱本体１０は、例えば、バージンパルプ、古紙パルプ等の各種のパルプを主原料とする既知の板紙素材により形成される。前記板紙は、剛性を確保できる点で、好適には、坪量２５０〜５００ｇ／ｍ2、好適には３５０〜４００ｇ／ｍ2のコートボール紙である。なお、箱本体１０の外面には適宜の模様等が配されていてもよい。
【００３２】
他方、本発明にかかる収納箱１においては、上述のとおり、当該くり抜き孔２１を箱本体１０の内部から被覆する透明フィルム３１，３２が配されて内部視認用窓２，２を構成している。この透明フィルム３１，３２は、例えば、樹脂製のフィルムであり、くり抜き孔の周縁に対して熱圧着、熱融着、接着剤により貼付することができる。
【００３３】
ここで、前記透明フィルム３１，３２の素材は限定されるものではないが、例示すると、ポリプロピレンフィルムシート、ポリエチレンフィルムシート、ポリビニルアルコールフィルムシート、ポリエチレンテレフタレートフィルムシート、アクリルフィルムシートなど既知の樹脂製フィルムシートが採用できる。
【００３４】
好ましくは、平滑性が高く、板紙への密着性に優れ、さらに、透明性が高く板紙に印刷した不変情報の視認性に優れるとともに、耐久効果もあり、焼却廃棄時に有害ガスの発生し難く、しかも安価であるポリプロピレンフィルムシートである。そのなかでも、非延伸のいわゆるＣＰＰよりも、二軸延伸のいわゆるＯＰＰが特に板紙との密着性に優れるため適する。
【００３５】
透明フィルム３１，３２の厚さについては、特に限定されないが２０〜４５μｍであるのが望ましい。２０μｍ未満であると強度不足となって破損のおそれがあり、４５μｍを超えてもコスト高となるだけである。
【００３６】
また、透明フィルム３１，３２の透明性については、ヘイズ値１〜１５％であるのが望ましい。１％未満であるとフィルムが薄すぎて破れ易かったり、フィルムが高価になり過ぎて適さない、１５％を超えると色彩など中身の視認性が悪くなる。
なお透明フィルム３１，３２においては、意匠性に優れることから着色されていたり、適宜の印刷が施されていてもよい。
【００３７】
他方、本発明に係るトイレットロール製品Ｘ１においては、トイレットロールＲの収納形態として、好ましくは、本発明の効果であるコンパクト性の点で２〜３個のトイレットロールＲ，Ｒが収納されているのが望ましい。さらに、トイレットロールＲ，Ｒは、周面が接するようにして上下に配置されているとともに、周面が内部視認窓に対向する態様で収納されているのが望ましい。
【００３８】
このように収納すると、正面の実際の設置態様と同様の状態でトイレットロールＲが内部視認用窓２から視認され、購入者において違和感なく製品を見ることができる。また、トイレットロールＲにエンボスや模様が配されている場合においては、特に顕著に設置状態における製品のイメージが掴みやすいものとなる。
【００３９】
さらに、図示の形態のように、収納箱１に内部視認用窓２が正面１１と側面１２との双方に設けられている場合、当該収納形態であれば、トイレットロールＲの周面と端面とが視認できるので、収納された製品に欠陥等がないことや、どの程度の巻き直径であるかなどを確認して購入することができるようになる。
【００４０】
このような収納形態を考慮して、箱本体（収納箱）１０の高さ及び側面間距離、奥行きを収納するロール形状、ロール数に応じて適宜調整する。２個のロールを上述のように周面が接するようにして上下２段に収納された形態と採る場合の収納箱１０の具体的な大きさを例示すると、収納箱１０の内側面間距離がトイレットロールＲの幅（端面間距離）に適宜のクリアランスを設けた程度であり、具体的には８５〜１４０ｍｍ、好ましくは１０５〜１２０ｍｍ程度とするのがよい。内部の高さはトイレットロールＲの直径×２に対して適宜のクリアランスを有し、かつコンパクトで商品陳列の点でもメリットを享受できることから、具体的には１５０〜２７０ｍｍ程度、好ましくは２００〜２４０ｍｍ程度とするのが望ましい。当該範囲を超えると、収納箱内においてトイレットロールＲが自由に動いて、輸送時、持ち運び時にトイレットロールが箱内面とすれて、トイレットロールの毛羽立ちや破損が生じるおそれが高まる。
【００４１】
なお、端面同士が隣接するようにして２段に積み重ねて、収納箱内に収納された形態を採る場合における収納箱内部の具体的な大きさについても、トイレットロールと箱内面とのクリアランスを上記の範囲と同様にするのが望ましい。
【００４２】
以上、詳述のとおり本発明のトイレットロール製品Ｘ１では、上述の従来製品における種々の課題が解決されるのである。
【符号の説明】
【００４３】
Ｘ１…トイレットロール製品、Ｒ…トイレットロール、１…収納箱、２…内部視認用窓、１０…箱本体、１１…正面、１２…側面、１３…背面、１４…天面、１５…底面、２１，２２…くり抜き孔、３１，３２…透明フィルム、４０…ヒンジ蓋（封止片）、４１（４１Ａ，４１Ｂ）…開封口形成用ミシン目線、４２…折り筋、４３…指入れ部、５０…吊下げ手段、５１…吊下げ用孔。
【図１】
2010200825.tif 000003
【図２】
2010200825.tif 000004
【図３】
2010200825.tif 000005